(57)【要約】【課題】第二部材に開設されている上方の開口、中空、下方の開口に固定具をスムーズに貫通させ、第一部材と第二部材を確実に固定できる固定具を提供すること。【解決手段】固定具１００は、正回転螺子ナット４４が非回転状態で収容されている収容溝１２を有し、天板１４を有するベース１０と、ベース１０に回動自在に装着され、自重にて所定の角度まで回動するフック２０と、ベース１０の相対移動を案内する案内片３１と案内片３１の上端で屈曲した座金３３とを有するガイド３０と、正回転螺子ナット４４に螺合されている頭付きボルト４０とを有し、頭付きボルト４０を正回転させることにより、ベース１０がガイド３０に沿って上昇することにより、フック２０が第一部材に係止されるようになっており、フック２０を収容溝１２にロックしておくロック手段６０と、フック２０の収容溝１２内におけるロックを解除するロック解除手段７０を有する。【選択図】図３
2019218714.tif 000002
【特許請求の範囲】
【請求項１】
第一部材の上に載置された中空の第二部材を、該第一部材に固定するに当たり、該第二部材に開設されている上下の開口と該上下の開口の間の前記中空を貫通して該第一部材と該第二部材を固定する固定具であって、
正回転螺子ナットが非回転状態で収容されている収容溝を有し、第一孔を備えた天板を有するベースと、
前記ベースに回動自在に装着され、前記収容溝に収容自在であり、自重にて回動して該収容溝から解放された際に該ベースの軸方向に対して所定の角度まで回動するフックと、
前記ベースの相対移動を案内する案内片を有し、該案内片の上端で屈曲して前記第一孔に対応する第二孔を備えている座金を有するガイドと、
前記天板の上に前記座金が載置され、前記第二孔と前記第一孔の順に上方から挿通されて前記正回転螺子ナットに螺合されている頭付きボルトと、を有し、
前記頭付きボルトを正回転させることにより、前記収容溝内において非回転状態で収容されている前記正回転螺子ナットが前記頭付きボルトの回転に応じて上昇し、該頭付きボルトにて支持されている前記天板を備えた前記ベースが前記ガイドの前記案内片に沿って上昇することにより、前記フックが前記第一部材に係止されるようになっており、
前記フックを前記収容溝内にロックしておくロック手段と、前記フックの該収容溝内におけるロックを解除するロック解除手段とを有することを特徴とする、固定具。
【請求項２】
前記フックが逆回転螺子ナットを有しており、該逆回転螺子ナットに前記頭付きボルトが捻じ込まれて前記ロック手段を形成しており、該頭付きボルトの正回転が前記ロック解除手段を形成していることを特徴とする、請求項１に記載の固定具。
【請求項３】
前記座金は、その中央側が下方に窪んでいるすり鉢部を有しており、
前記すり鉢部に前記頭付きボルトの頭部が収容されることを特徴とする、請求項１又は２に記載の固定具。
【請求項４】
前記第一部材が床梁であり、かつ前記第二部材が少なくとも中空を有する根太である第一形態、もしくは、
前記第一部材が床梁であり、かつ前記第二部材が床材であって、前記中空は該床材に設けられている貫通孔である第二形態、もしくは、
前記第一部材が母屋であり、かつ前記第二部材が垂木であって、前記中空は該垂木に設けられている貫通孔である第三形態、のいずれか一種であることを特徴とする、請求項１乃至３のいずれか一項に記載の固定具。
【請求項５】
請求項１乃至４のいずれか一項に記載の固定具を、前記フックがロックされた状態で前記第二部材に開設されている上下の開口に貫通させてプレセットしておく、プレセット工程と、
建て方が終了している前記第一部材の上に前記第二部材を設置し、前記フックをロック解除し、前記頭付きボルトを正回転させることにより該フックを上昇させて該第一部材と該第二部材を固定する、固定工程と、を有することを特徴とする、固定具による固定方法。
【発明の詳細な説明】
【技術分野】
【０００１】
本発明は、固定具と固定具による固定方法に関する。
【背景技術】
【０００２】
従来、例えば建物の上階（２階等）の床材を床梁に固定する施工では、１階床上に脚立等を配設し、作業員が脚立等に載り、上向き姿勢で床梁に対して床材を固定具にて固定する施工方法が行われている。しかしながら、このような上向き姿勢での固定施工は、施工性が良好とは言えないことや、作業員に疲労を与えやすいといった課題を有している。
【０００３】
そこで、上階から床材に開設されている孔に固定金物を落とし込んで床梁と床材を固定する、固定金物が提案されている。具体的には、金物基体の下端にフックの一端が枢着され、フックは、金物基体に沿う退避位置から自重で特定の一方向に回動して側方に開くようになっている。金物基体にはボルトが螺合されており、ボルトの回転締付けにより、固定する対象が座金部材とフックとで挟み込まれて固定されるようになっている（例えば、特許文献１参照）。
【先行技術文献】
【特許文献】
【０００４】
【特許文献１】特開２００１−１４６８０７号公報
【発明の概要】
【発明が解決しようとする課題】
【０００５】
特許文献１に記載の固定金物により床梁に固定される床パネルにおいて、固定金物が落とし込まれる孔は、床パネルの厚みの内部に開設されている孔である。そのため、フックを閉じた状態（退避位置に収容された状態）で作業員が固定金物を孔に落とし込むと、孔を通過する間は孔の壁面によりフックは開くことができず、退避位置に留まる。そして、固定金物が孔を完全に通過し、フックの先端が床パネルの下面を通過した段階でフックの回動を妨げる壁面が無くなることから、フックはその自重で特定の一方向に回動して開くことができる。
【０００６】
ところで、このように床パネルの厚みの内部に開設されている孔に固定金具を落とし込んで床パネル等を床梁等に固定することの他に、中空の部材（例えば、角形鋼管による根太、鋼製根太）の例えば上下一対の対向する側面に開設されている一対の孔に固定具を貫通させ、鋼製根太と床梁等を固定する要請がある。このように、固定される部材が中空を有する部材の場合、特許文献１に記載の固定金物を適用して上下一対の対向する開口に落とし込もうとした際に、固定金物が鋼製根太の下方の孔を通過する前の段階で、フックが鋼製根太の中空内で開いてしまう可能性がある。鋼製根太の中空内でフックが開いてしまうと、鋼製根太の下方の開口を固定金物が通過することができなくなり、結果として鋼製根太と床梁等を固定金物で固定することができなくなる。
【０００７】
本発明は上記する問題に鑑みてなされたものであり、第一部材の上に載置された中空の第二部材を第一部材に固定するに当たり、第二部材に開設されている上方の開口、中空、及び下方の開口に固定具をスムーズに貫通させ、第一部材と第二部材を確実に固定することのできる固定具を提供することを目的としている。
【課題を解決するための手段】
【０００８】
前記目的を達成すべく、本発明による固定具の一態様は、
第一部材の上に載置された中空の第二部材を、該第一部材に固定するに当たり、該第二部材に開設されている上下の開口と該上下の開口の間の前記中空を貫通して該第一部材と該第二部材を固定する固定具であって、
正回転螺子ナットが非回転状態で収容されている収容溝を有し、第一孔を備えた天板を有するベースと、
前記ベースに回動自在に装着され、前記収容溝に収容自在であり、自重にて回動して該収容溝から解放された際に該ベースの軸方向に対して所定の角度まで回動するフックと、
前記ベースの相対移動を案内する案内片を有し、該案内片の上端で屈曲して前記第一孔に対応する第二孔を備えている座金を有するガイドと、
前記天板の上に前記座金が載置され、前記第二孔と前記第一孔の順に上方から挿通されて前記正回転螺子ナットに螺合されている頭付きボルトと、を有し、
前記頭付きボルトを正回転させることにより、前記収容溝内において非回転状態で収容されている前記正回転螺子ナットが前記頭付きボルトの回転に応じて上昇し、該頭付きボルトにて支持されている前記天板を備えた前記ベースが前記ガイドの前記案内片に沿って上昇することにより、前記フックが前記第一部材に係止されるようになっており、
前記フックを前記収容溝内にロックしておくロック手段と、前記フックの該収容溝内におけるロックを解除するロック解除手段とを有することを特徴とする。
【０００９】
本態様によれば、フックがロック手段によりベースの収容溝に収容された姿勢を保持することができ、所望のタイミングでロック解除手段によりフックのロック状態を解除して回動させることにより、中空を有する第二部材に対してもフックを開かない状態として固定具を挿通させることが可能になる。ここで、正回転螺子ナットが「収容溝内において非回転状態で収容されている」とは、収容溝の内空寸法と正回転螺子ナットの有する対向する一対の平行端辺間の距離が同じに設定されることにより、収容溝に正回転螺子ナットが非回転状態で嵌まり込んでいること等を意味している。また、収容溝に対して正回転螺子ナットが固定されている形態（より詳細には、天板の収容溝に臨む内側面に固定されている形態）、収容溝の壁面に嵌まり込むだけで固定されてない形態、の双方を含んでいる。
【００１０】
また、固定具の各構成部材は、金属から形成されてもよいし（この場合は固定金具となる）、硬質の樹脂等から形成されてもよい。また、「頭付きボルト」はキャップボルトとも称し、頭部に六角穴やプラス穴、マイナス穴等を有し、穴形状に対応する（電動）ドライバーやレンチ等の締付け工具にて正回転されるボルトである。
【００１１】
また、ロック手段とロック解除手段には、多様な形態が含まれる。例えば、ロック手段としてフックの先端に磁石が装着され、頭付きボルトの先端と磁気吸引されること、もしくは、フックの先端に両面テープ等が接着され、頭付きボルトの先端がテープに接着されること、がロック手段の一例として挙げられる。これらのロック手段に対して、頭付きボルトを正回転させることにより、これら磁気吸引や接着を解除することがロック解除手段の一例として挙げられる。また、ロック手段として頭付きボルトの先端にピンや爪を取り付けておき、フックにこれらピンや爪が突き刺さる軟質部材等を取り付けておき、軟質部材にピン等を突き刺しておくことがロック手段の他の例として挙げられる。このロック手段に対して、頭付きボルトを正回転させることにより、ピン等の突き刺さりを解除することがロック解除手段の他の例として挙げられる。また、フックが開いた状態において、フックが第一部材と係合する位置に例えばゴム製の緩衝部材が取り付けられている形態のフックでは、この緩衝部材が上記する軟質部材となり得る。
【００１２】
第二部材の上下の開口とこの上下の開口の間の中空に固定具を貫通させた後、ロック解除手段により、フックのロック状態を解除し、ベースの軸方向に対して所定の角度（例えば、軸方向に対して９０度）までフックを回動させて開いた状態とする。さらに頭付きボルトを正回転させることにより、ベースの収容溝に対して非回転状態に収容されている正回転螺子ナットに対して頭付きボルトが回転し、この頭付きボルトの回転に応じてベースが上昇される。ベースの上昇に応じて開いた状態のフックも上昇され、第一部材の例えば下端（例えば床梁の下方のフランジの下面）にフックが係合されることにより、第二部材の上面に載置されているガイドの座金と、第一部材の下端等に係合するフックとにより、第一部材と第二部材を挟んで双方の固定が図られる。
【００１３】
尚、本態様の固定具により固定される第一部材と第二部材に関し、第一部材が床梁等であり、第二部材が中空を有する鋼製根太である形態や、第一部材が床梁等であり、第二部材がこの鋼製根太と鋼製根太が固定されている床材とのユニット体である形態などが挙げられる。第二部材が鋼製根太と床材のユニット体の場合、床材において、鋼製根太に開設されている上方の開口に対応する位置には開口が開設されている。そして、この形態では、床材の開口の上から固定具を落とし込み、鋼製根太の上方の開口、中空、及び下方の開口を貫通させた後、ロック解除手段にてフックのロック状態が解除される。このように床材の上から固定具を落とし込む場合、固定具が鋼製根太の下方の開口を通過した後にフックが開いているか否かは、例えば特許文献１に記載の固定金物では確証が持てない。そのため、床梁の下方に作業員が回り込み、固定具が鋼製根太と床梁を固定していることを確認する作業が必要になる。これに対し、本態様の固定具では、固定具が十分に落とし込まれたことをもって固定具が鋼製根太の下方の開口を通過したことが確認でき、その後にロック解除手段にてフックのロック状態を解除して開かせ、フックを上昇させることにより作業員が締付け状態を体感した段階で、固定具による確実な固定が保証される。
【００１４】
また、本発明による固定具の他の態様は、前記フックが逆回転螺子ナットを有しており、該逆回転螺子ナットに前記頭付きボルトが捻じ込まれて前記ロック手段を形成しており、該頭付きボルトの正回転が前記ロック解除手段を形成していることを特徴とする。
【００１５】
本態様によれば、フックの有する逆回転螺子ナットに正回転螺子ナットが捻じ込まれることによりロックされている状態から、フックを上昇させるべく頭付きボルトを正回転させると、まずフックのロック状態が解除される。さらに頭付きボルトの正回転を継続することにより、フックを上昇させて第一部材と第二部材の固定を図ることができる。固定具の構成部材が金属製の場合は、金属製の逆回転螺子ナットを適用することにより、固定具の製作性が良好になる。
【００１６】
また、本発明による固定具の他の態様において、前記座金は、その中央側が下方に窪んでいるすり鉢部を有しており、
前記すり鉢部に前記頭付きボルトの頭部が収容されることを特徴とする。
【００１７】
本態様によれば、例えば第二部材を構成する床材の上方に、頭付きボルトの頭部が突出することを抑制できる。すなわち、第二部材の上方の開口にすり鉢部が嵌まり込み、このすり鉢部に頭付きボルトの頭部を収容することができる。
【００１８】
また、本発明による固定具の他の態様において、前記第一部材が床梁であり、かつ前記第二部材が少なくとも中空を有する根太である第一形態、もしくは、
前記第一部材が床梁であり、かつ前記第二部材が床材であって、前記中空は該床材に設けられている貫通孔である第二形態、もしくは、
前記第一部材が母屋であり、かつ前記第二部材が垂木であって、前記中空は該垂木に設けられている貫通孔である第三形態、のいずれか一種であることを特徴とする
本態様によれば、様々な床材と床梁との固定や、屋根の母屋と垂木との固定等を、本態様の固定具にて実現することができる。ここで、第一形態において、「第二部材が少なくとも中空を有する根太」なる構成には、第二部材が例えば鋼製根太のみの形態の他、第二部材が例えば鋼製根太と鋼製根太が固定されている床材とのユニット体の形態を含んでいる。この床材には、パーティクルボード等の床材が挙げられる。一方、第二形態における床材としては、例えばＡＬＣ板（ALC：Autoclaved Lightweight aerated Concrete、高温高圧蒸気養生された軽量気泡コンクリート）等の床材が挙げられる。ＡＬＣ板は中空を有さず、従って、固定具が貫通孔を通過するまではフックの開きが抑止される。しかしながら、例えばＡＬＣ板の下方にある床梁が施工誤差等で貫通孔の一部を塞ぎ、そのために固定具が貫通孔を通過できず、ＡＬＣ板と床梁が固定具にて固定できない状態が生じ得る。このような場合に対しても、ロック手段にてベースの収容溝にフックを完全に収容させた状態で固定具をＡＬＣ板の貫通孔に貫通させ、貫通後にロック解除手段によりフックのロック状態を解除することにより、ＡＬＣ板と床梁を確実に固定することができる。また、第三形態に係る垂木と母屋の固定に関しては、垂木は一般に傾斜しており、母屋を形成する形鋼材等も傾斜した状態で配設されている。従って、垂木に開設されている貫通孔も傾斜しているものの、ロック手段によりベースの収容溝にフックを収容させた状態を保持できることから、傾斜した垂木の貫通孔に対してもフックを開かせることなく固定具を貫通させることができる。
【００１９】
また、本発明による固定具による固定方法の一態様は、
前記固定具を、前記フックがロックされた状態で前記第二部材に開設されている上下の開口に貫通させてプレセットしておく、プレセット工程と、
建て方が終了している前記第一部材の上に前記第二部材を設置し、前記フックをロック解除し、前記頭付きボルトを正回転させることにより該フックを上昇させて該第一部材と該第二部材を固定する、固定工程と、を有することを特徴とする。
【００２０】
本態様によれば、固定具を第二部材に対して工場等でプレセットしておき、現場搬送後に固定具が既にセットされている第二部材を立て方が終了している第一部材に設置することにより、第二部材の設置後、速やかに固定具による第一部材と第二部材の固定を行うことができる。例えば、第二部材が、広幅の床材（パーティクルボード等）と、この床材の下面に取付けられている複数の鋼製根太とからなる形態では、各鋼製根太の例えば両端に固定具が挿通される上下一対の開口があり、従って固定具の挿通箇所は多数箇所に及び得る（１つの第二部材に対して１０箇所程度）。このような形態においては、工場等で第二部材に対して固定具をプレセットしたものを現場搬送し、そのまま建て方の終了している床梁等の第一部材に対して第二部材を設置することにより、施工効率が格段に向上する。
【発明の効果】
【００２１】
以上の説明から理解できるように、本発明の固定具と固定具による固定方法によれば、第一部材の上に載置された中空の第二部材を第一部材に固定するに当たり、第二部材に開設されている上方の開口、中空、及び下方の開口に固定具をスムーズに貫通させ、第一部材と第二部材を確実に固定することができる。
【図面の簡単な説明】
【００２２】
【図１】実施形態に係る固定具の分解斜視図である。
【図２】実施形態に係る固定具の全体斜視図であって、フックがベースの収容溝内に収容され、ロックされている状態を示す図である。
【図３】実施形態に係る固定具の全体斜視図であって、フックがロック解除され、回動して開いている状態を示す図である。
【図４】第二部材の上方の開口、中空、及び下方の開口を固定具が貫通した状態を示す縦断面図である。
【図５】フックがロック解除され、９０度回動して開いた状態を示す縦断面図である。
【図６】フックが上昇され、第一部材と第二部材を固定具にて固定している状態を示す縦断面図である。
【図７】他の実施例の第二部材及び第一部材を固定具が固定している状態を示す縦断面図である。
【図８】実施形態に係る固定具の固定方法のプレセット工程においてプレセットされている、第二部材と固定具を示す斜視図である。
【発明を実施するための形態】
【００２３】
以下、実施形態に係る固定具と固定具による固定方法について添付の図面を参照しながら説明する。なお、本明細書及び図面において、実質的に同一の構成要素については、同一の符号を付することにより重複した説明を省く場合がある。
【００２４】
［実施形態に係る固定具］
はじめに、図１乃至図６を参照して、実施形態に係る固定具を説明する。ここで、図１は、実施形態に係る固定具の分解斜視図である。また、図２は、実施形態に係る固定具の全体斜視図であって、フックがベースの収容溝内に収容され、ロックされている状態を示す図である。また、図３は、実施形態に係る固定具の全体斜視図であって、フックがロック解除され、回動して開いている状態を示す図である。さらに、図４乃至図６は順に、第二部材の上方の開口、中空、及び下方の開口を固定具が貫通し、第二部材と第一部材を固定具にて固定するまでを説明した固定具の使用状態図である。
【００２５】
図１に示すように、固定具１００は、ベース１０と、ベース１０に対して回動自在に取り付けられているフック２０と、ベース１０の相対移動を案内するガイド３０と、頭付きボルト４０と、を有し、いずれも金属部材にて形成される固定金具である。尚、全ての部材が硬質の樹脂から形成される形態であってもよい。
【００２６】
ベース１０は、細長の一対の対向する２つの側面とこれら２つの側面に繋がる背面とを有する本体１１と、本体１１の上端に取り付けられている天板１４と、を有する。本体１１を形成する側面及び背面により、その内側にはフック２０を収容する収容溝１２が形成される。また、本体１１の背面には、ガイド３０が案内される案内溝１３が本体１１の長手方向に延びている。この案内溝１３はその途中で拡幅する拡幅部１３ａを有しており、この拡幅部１３ａを介してガイド３０の係合突起３２が本体１１の背面から収容溝１２に嵌め込まれるようになっている。
【００２７】
天板１４は、頭付きボルト４０の有するボルト４１が挿通される第一孔１５を有する。また、収容溝１２の内側の幅ｔ１は、この収容溝１２に収容される六角ナットにて形成される正回転螺子ナット４４の対向する一対の端辺間距離ｔ１と同じ長さに設定されている。このことにより、収容溝１２に正回転螺子ナット４４が収容され、頭付きボルト４０のボルト４１が正回転螺子ナット４４に螺合された状態で、頭付きボルト４０を回転させた場合でも、収容溝１２内において正回転螺子ナット４４を非回転状態で拘束することができる。尚、正回転螺子ナット４４は、収容溝１２内に固定されずに嵌まり込むだけでもよいし、例えば天板１４の収容溝１２に臨む内側面に溶接等により固定されてもよい。
【００２８】
フック２０は、細長の一対の対向する２つの側面とこれら２つの側面に繋がる底面とを有する本体２１と、本体２１の端部に取り付けられている端板２２と、を有する。また、本体２１の一対の側面には回動軸２３が懸架され、本体２１の外側において回動軸２３に対してベース１０の本体１１の下端が固定されている。従って、図２に示すように、ベース１０の収容溝１２に対して、フック２０を収容することができる。
【００２９】
図１に戻り、フック２０の有する本体２１の内部には、ゴム等の樹脂素材の緩衝部材２４が収容されている。この緩衝部材２４は、固定具１００にて第一部材と第二部材を挟んで固定する際に、第一部材と当接することにより第一部材を破損させたり、施工時及び部材固定後の異音の発生を解消するための部材である。
【００３０】
また、フック２０の端板２２には、頭付きボルト４０のボルト４１の先端が逆回転で捻じ込まれる逆回転螺子ナット５０が溶接等により固定されている。図２に示すように、フック２０をベース１０の収容溝１２に収容した状態において、端板２２に取り付けられている逆回転螺子ナット５０は頭付きボルト４０のボルト４１の先端が嵌まり込む位置にくるように設定されている。逆回転螺子ナット５０に対してボルト４１を逆回転方向であるＸ１'方向に数回転程度捻じ込んでおくことにより、フック２０を収容溝１２内にロックしておくロック手段６０が形成される。図２からも明らかなように、フック２０がロック手段６０により収容溝１２内に収容され、ロックされている状態では、フック２０もベース１０の軸方向Ｌ１方向に向いた姿勢で保持されることより、固定具１００は全体的に長尺で細幅の状態となり、以下で詳説するように、中空を有する第二部材の上下一対の開口をスムーズに貫通することができる。
【００３１】
図１に戻り、ガイド３０は、長尺の案内片３１と、案内片３１の上端で屈曲する座金３３と、案内片３１の下端で座金３３と同じ方向に屈曲する係合突起３２とを有する。座金３３は、第二部材の上方開口に固定具１００を固定できる幅を有し、座金３３の中央には下方に落ち込んだすり鉢部３３ａを有し、すり鉢部３３ａの中央に第二孔３４を有する。
【００３２】
既述するように、ベース１０の本体１１の背面の拡幅部１３ａを介して係合突起３２が収容溝１２内に収容され、上下に延びる案内溝１３に沿って案内片３１が相対移動自在にベース１０とガイド３０が組み付けられる。また、図２に示すように、ベース１０の天板１４にガイド３０の座金３３が載置された状態において（図２では、天板１４は隠れて見えない）、第一孔１５と第二孔３４は位置合わせされ、さらに、収容溝１２内に非回転状態で収容されている正回転螺子ナット４４も第一孔１５及び第二孔３４と位置合わせされる。従って、座金３３の有する第二孔３４、及び天板１４の有する第一孔１５に対して上方から頭付きボルト４０のボルト４１が挿通され、ボルト４１はさらに収容溝１２内にある正回転螺子ナット４４と螺合することができる。頭付きボルト４０をＸ１方向に正回転させてその先端を逆回転螺子ナット５０と当接する位置まで到達させ、次に頭付きボルト４０をＸ１'方向に数回程度逆回転させることにより、ボルト４１の先端を僅かに逆回転螺子ナット５０に捻じ込むことができる。尚、図示例では、頭付きボルト４０の頭部４２において十字穴４３（プラス穴）が形成されているが、マイナス穴であってもよいし、六角穴であってもよく、頭付きボルトを回転させる際に使用される（電動）ドライバーやレンチ等との関係で適宜のねじ穴が設定される。
【００３３】
図２に示す状態は、フック２０がベース１０の収容溝１２内に収容され、ロックされている状態であり、固定具１００を中空を有する第二部材の上下一対の開口に貫通させる際の状態である。固定具１００が第二部材の下方の開口を通過して第二部材の上端にガイド３０の座金３３が載置された後、今度は、図３に示すように頭付きボルト４０の頭部４２の十字穴４３にドライバー７１のプラスドライバービット７２を差し込み、Ｘ１方向に数回程度だけドライバーを正回転させる。この正回転により、逆回転螺子ナット５０に対して逆回転で螺合していたボルト４１の先端が逆回転螺子ナット５０から解放される。このように、頭付きボルト４０の頭部４２の十字穴４３にドライバー７１のプラスドライバービット７２を差し込み、正回転方向に回転させてフック２０のロック状態を解除することが、ロック解除手段７０となる。
【００３４】
フック２０がロック解除手段７０によりロック状態から解放されると、フック２０の有する自重により、フック２０はベース１０に対して回動軸２３を中心にＸ２方向に回動する。図示例は、ベース１０の軸方向Ｌ１に対して９０度方向Ｌ２まで回動しているが、この回動角度は適宜設定できる。
【００３５】
次に、図４乃至図６を参照して、固定具１００を用いて、一実施例の第一部材及び第二部材を固定する際の固定具１００の使用状態を説明する。ここで、実施例に係る第一部材５００はＨ形鋼により形成される床梁である。一方、実施例に係る第二部材４００は、鋼製根太２００と鋼製根太２００が固定されている床材３００とのユニット体である。床材３００はパーティクルボード等からなり、貫通孔３０１を有する。一方、鋼製根太２００は、一対の上方開口２０１と下方開口２０２を有し、それらの間に中空２０３を有する。そして、ユニット体において、貫通孔３０１、上方開口２０１、（中空２０３）、及び下方開口２０２は位置合わせされており、固定具１００が貫通できるように構成されている。
【００３６】
まず、図４に示すように、既に建て方が終了している床梁５００の上フランジ５０１に第二部材４００を載置する。そして、ロック手段６０によりフック２０を収容溝１２内に収容し、ロックした状態の固定具１００を形成し、第二部材４００の貫通孔に固定具１００を落とし込む。図４に示すように、固定具１００が完全に落とし込まれた状態は、フック２０がロック解除されてもよい位置にあること（完全に落とし込まれたこと）を保証する。例えば、対比例として、中空２０３を有する鋼製根太２００に特許文献１に記載の固定金物を適用した場合を想定する。この場合、この固定金物ではフックがロック手段により金物基体内に収容された状態でロックされていないことから、固定金物のフックが鋼製根太２００の中空２０３に入った段階で回動して開いてしまい、鋼製根太２００の下方開口２０２を通過できなくなる可能性が高い。
【００３７】
次に、図５に示すように、不図示のドライバーにて頭付きボルト４０を数回程度Ｘ１方向に正回転させることにより、逆回転螺子ナット５０に螺合されていたボルト４１がロック解除され、フック２０は自重にて回動軸２３を中心に回動し、床梁５００の上フランジ５０１の下方に位置決めされる。尚、このドライバーにて頭付きボルト４０を正回転させてフック２０のロック状態を解除することがロック解除手段７０である。
【００３８】
次に、図６に示すように、頭付きボルト４０の正回転を継続することにより、収容溝１２内にある正回転螺子ナット４４は非回転状態で収容されていることから、床材３００に座金３３が載置されているガイド３０は不動のまま、ガイド３０に対してベース１０がＸ３方向に上昇する。ベース１０の上昇に応じて開いた状態のフック２０も同様に上昇し、フック２０の有する緩衝部材２４が床梁５００の上フランジ５０１の下面に当接する。このようにフック２０が当接することにより、ガイド３０の座金３３とフック２０により第二部材４００と第一部材５００を挟み込み、双方を固定することができる。
【００３９】
また、図６から明らかなように、座金３３がすり鉢部３３ａを有し、すり鉢部３３ａが床材３００の貫通孔３０１に落ち込み、頭付きボルト４０の頭部４２がすり鉢部３３ａに収容されることにより、頭付きボルト４０の頭部４２が床材３００の表面から上方に突出することが解消される。尚、床材が座ぐり部を有し、この座ぐり部に頭付きボルト４０の頭部４２を収容する場合は、すり鉢部３３ａを具備しない狭幅の座金を適用することができる。
【００４０】
（固定具の他の適用例）
次に、図７を参照して、固定具１００の他の適用例について説明する。図示例は、第一部材５００Ａが屋根の母屋であり、第二部材４００Ａが垂木であり、垂木４００Ａの有する貫通孔４０１に固定具１００を貫通させ、垂木４００Ａの下方に位置する母屋５００Ａを形成するリップ付き溝型鋼の一端にフック２０を係合させる例を示す。尚、図７には、母屋５００Ａの下方位置にある梁材５００Ｂも示している。
【００４１】
勾配を有する屋根（寄棟、片流れ、切妻、方形、入母屋、のこぎり等）においては、垂木４００Ａが勾配を有し、従って貫通孔４０１も勾配を有している。そして、垂木４００Ａの下方に位置する母屋５００Ａも同様に勾配を有する態様で配設されている。このように、勾配を有する第二部材４００Ａの貫通孔４０１に対しても、固定具１００を適用することにより、ロック手段にてフック２０をベース１０の収容溝１２に収容し、ロックさせた状態で、固定具１００を貫通孔４０１にスムーズかつ確実に貫通させることができる。そして、第二部材４００Ａと第一部材５００Ａを固定具１００により確実に固定することができる。
【００４２】
［実施形態に係る固定具による固定方法］
次に、図８を参照して、実施形態に係る固定具による固定方法について説明する。ここで、図８は、実施形態に係る固定具の固定方法のプレセット工程においてプレセットされている、第二部材と固定具を示す斜視図である。
【００４３】
図８に示す第二部材４００は、広幅の床材３００（パーティクルボード等）の下方に、４本の鋼製根太２００が等間隔で固定されている形態である。各鋼製根太２００は両端近傍の二箇所にそれぞれ一対の上方開口及び下方開口を有し、床材３００は各鋼製根太２００の有する上方開口に対応する位置に貫通孔を有している（図６等参照）。一例として、床材３００の寸法は、縦横ともに１８００ｍｍ程度の寸法が例示できる。
【００４４】
工場において、図８に示すように第二部材４００の各穴に対して、フック２０が収容溝１２に収容され、ロック手段６０にてロックされた状態の固定具１００をプレセットする（プレセット工程）。
【００４５】
次に、固定具１００がプレセットされた第二部材４００を現場搬送し、建て方が終了している第一部材の上に第二部材を設置する。この設置した状態は図４に示す状態である。
【００４６】
そして、頭付きボルト４０を正回転させることによりフック２０をロック解除する。このロック解除した状態は図５に示す状態である。
【００４７】
頭付きボルト４０をさらに正回転させることにより、フック２０を上昇させて第一部材と第二部材を座金３３とフック２０で挟むことにより、双方を固定する（固定工程）。この第一部材と第二部材を固定具１００にて固定した状態は図６に示す状態である。
【００４８】
特に図示するように広幅の第二部材を第一部材に固定する施工方法では、固定具１００の数が多くなる（図示例は８個）。そこで、固定具１００を第二部材４００に対して工場等でプレセットしておき、現場搬送後に固定具１００が既にセットされている第二部材４００を立て方が終了している第一部材に設置することにより、第二部材の設置後、速やかに固定具１００による第一部材と第二部材の固定を行うことができる。そのため、施工効率を格段に向上させることが可能になる。
【００４９】
上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【００５０】
例えば、図示例のロック手段６０は、逆回転螺子ナット５０に対してボルト４１を逆回転方向に数回転程度捻じ込んでおくことにより、フック２０を収容溝１２内にロックしておく形態である。また、図示例のロック解除手段７０は、頭付きボルト４０の頭部４２の十字穴４３にドライバー７１のプラスドライバービット７２を差し込み、正回転方向に回転させてフック２０のロック状態を解除する形態である。
【００５１】
しかしながら、ロック手段やロック解除手段は図示例以外にも様々な形態がある。例えば、ロック手段としてフック２０の先端に逆回転螺子ナット５０に代わって磁石が装着され、頭付きボルト４０のボルト４１の先端と磁気吸引されること、もしくは、フック２０の先端に両面テープ等が接着され、頭付きボルト４０のボルト４１の先端がテープに接着されること、がロック手段の他の例として挙げられる。これらのロック手段に対して、頭付きボルトを正回転させることにより、これら磁気吸引や接着を解除することがロック解除手段の他の例として挙げられる。
【００５２】
また、ロック手段として頭付きボルトの先端にピンや爪を取り付けておき、フックにこれらピンや爪が突き刺さる軟質部材等を取り付けておき、軟質部材にピン等を突き刺しておくことがロック手段のさらに他の例として挙げられる。このロック手段に対して、頭付きボルトを正回転させることにより、ピン等の突き刺さりを解除することがロック解除手段のさらに他の例として挙げられる。
【符号の説明】
【００５３】
１０：ベース、１１：本体、１２：収容溝、１３：案内溝、１４：天板、１５：第一孔、２０：フック、２１：本体、２２：端板、２３：回動軸、２４：緩衝部材、３０：ガイド、３１：案内片、３２：係合突起、３３：座金、３３ａ：すり鉢部、３４：第二孔、４０：頭付きボルト、４１：ボルト、４２：頭部、４３：十字穴、４４：正回転螺子ナット、５０：逆回転螺子ナット、６０：ロック手段、７０：ロック解除手段、７１：ドライバー、１００：固定具、２００：鋼製根太、２０１：上方開口、２０２：下方開口、２０３：中空、３００：床材、３０１：貫通孔、４００：第二部材（鋼製根太と床材のユニット体）、４００Ａ：第二部材（垂木）、４０１：貫通孔、５００：第一部材（床梁）、５００Ａ：第一部材（母屋）
【図１】
2019218714.tif 000003
【図２】
2019218714.tif 000004
【図３】
2019218714.tif 000005
【図４】
2019218714.tif 000006
【図５】
2019218714.tif 000007
【図６】
2019218714.tif 000008
【図７】
2019218714.tif 000009
【図８】
2019218714.tif 000010